(57)【要約】  平坦な非使用状態と入れ物としての使用状態との間で適合可能な組立式モジュラーバッグであって、２個だけの部品（２）を有する少なくとも１個の収容バッグ胴体を有し、バッグ胴体は、２個の主要区分（３ａ）、２個の側部の区分（３ｂ）、少なくとも１個の底の区分（４）、及びバッグ胴体（１）の開口（２０）を概ね定めるように構成されている。【選択図】  図１
2018519958.tif 000002
【特許請求の範囲】
【請求項１】
平坦な非使用状態と入れ物としての使用状態との間で可変に適合可能な組立式モジュラーバッグであって、少なくとも１個の収容バッグ胴体（１）を有する前記バッグ（１０）において、前記バッグ胴体は２個だけの部品（２）を有しており、部品（２）は、
互いに対向している関係にある、２個の主要区分（３ａ）、及び、２個の側部の区分（３ｂ）と、
少なくとも１個の底の区分（４）と、
前記バッグ胴体（１）の上部開口（２０）と、
をバッグの使用状態において概ね定めるように構成されていることを特徴とする、バッグ。
【請求項２】
前記２個だけの部品（２）は、同一の形をしており、折りたたみ可能で、各々が主要区分（３ａ）と、側部の区分（３ｂ）と、底の区分（４）とを有していることを特徴とする、請求項１に記載のバッグ。
【請求項３】
前記状態の一方と他方との間でバッグ（１０）の構成を変更するための前記部品（２）の素早く取り外し可能な相互接続のための相互接続手段（５；５ａ、５ｂ）を有することを特徴とする、１又は２に記載のバッグ。
【請求項４】
前記相互接続手段は、押して嵌める部材（５ａ、５ｂ）を有することを特徴とする、請求項１から３のいずれか１項に記載のバッグ。
【請求項５】
前記相互接続手段は、スナップ嵌め締結部品（５ａ、５ｂ）を有することを特徴とする、請求項１から３のいずれか１項に記載のバッグ。
【請求項６】
前記バッグ胴体（１）内に収容される物体保持コア（６）を有することを特徴とする、請求項１から５のいずれか１項に記載のバッグ。
【請求項７】
前記物体保持コア（６）は、前記バッグ胴体（１）から取り外し可能であることを特徴とする、請求項６に記載のバッグ。
【請求項８】
前記物体保持コア（６）と前記バッグ胴体（１）との相互接続用の押して嵌める締結部品（６ａ、６ｂ）を有することを特徴とする、請求項７に記載のバッグ。
【請求項９】
前記バッグ胴体（１）は、少なくとも部分的に重なっている前記２個だけの部品（２）の底の区分（４）を有していることを特徴とする、請求項１に記載のバッグ。
【請求項１０】
前記バッグ胴体（１）を保持する取り外し可能なハンドル（７）を有することを特徴とする、請求項７に記載のバッグ。
【発明の詳細な説明】
【技術分野】
【０００１】
本発明は、平坦な小さい非使用の状態と入れ物としての使用状態との間で可変に適合可能な組立式モジュラーバッグに関する。
【背景技術】
【０００２】
組立式バッグの製造分野では、皮革、布、または機能的に同等な材料から作られており、その構成に従って様々に組み合わされる多数の構成部品の取り外し可能な組み立てによって構成されるバッグが知られている。これらの部品は、部品の相補的な関連付けを可能にして、バッグ組み立て品を構成し、バッグの意図した役割全体を保証するように様々な幾何学的な平面形状を有している。
【０００３】
構成に関する限り、バッグの部品の区分的な性質は、相当な組み立てを省くことができるので有利であるが、それは、様々な組み立て部品が部品のカスタマイズされている切断によって簡単に得られるからであり、それは、任意のバッグ、特に高価なバッグの一般的な製造方法に従来は関連していた製造コストを相当に減少させる。
【発明の概要】
【発明が解決しようとする課題】
【０００４】
それでも、特に様々な構成部品の形状の多様性のせいで、これらのバッグの製造には、各バッグのモデルについて、保管し取り扱う、つまり適切に管理される無視できない数の部品の管理が必要となる。
【０００５】
消費者にとって、これらのバッグの区分的な性質にとって疑いもなく有益な高い多様性及び多数の構成部品の利点が、これらの部品が互いに相当に異なる場合及び／または多数の部品が設けられている場合には、なくなってしまう。したがって、使用するために構成されていない時にバッグは小さい状態で保存するために容易に分解可能であるのに対して、必要な時に再度組み立てる手順は、不便で疲れ、避けられることもあり、それは、バッグの中身のバッグからの出し入れが必要なこともあって、バッグの区分的な性質の当初の利点が無くなることになる。
【０００６】
組立式バッグは当該技術分野において既に知られており、構成部品の組み立ては、縫製ではなく、素早く接続する手段によって行われている。これによって製造手順が速くなるが、しかし、縫製なしでも、接続要素を設けて、それらをバッグに取り付けるのに特定の労力が必要になることを考えると、コストの削減は限定的にすぎない。
【０００７】
そのため、本発明の技術的な目的は、前述の欠点を回避することである。
【０００８】
この目的の一部として、本発明の第１の目的は、バッグを構成している部品の数の実質的な削減及び標準化されているその幾何学構造の形成を実現可能な組立式バッグの配置を提供することである。
【課題を解決するための手段】
【０００９】
前述の目的に関する本発明の特徴は、以下に添付されている特許請求の範囲に明確に記述されている。
【００１０】
本発明によって達成される利点は、例示のための限定をしていない一実施形態を示している添付の図面を参照して、以下の詳細な記述からより明らかになるであろう。
【図面の簡単な説明】
【００１１】
【図１】図１は、内部の特定の詳細を示している分解時のバッグの軸側投影図である。
【図２】図２は、図１のバッグの内部の軸側投影図である。
【図３】図３は、組み立てられている構成にあるバッグの軸側投影図である。
【図４】図４は、図３の底の、下から上に見た図である。
【図５Ａ】図５Ａは、外部から見たバッグの特定の構成部分の局面を示している。
【図５Ｂ】図５Ｂは、外部から見たバッグの特定の構成部分の局面を示している。
【図５Ｃ】図５Ｃは、外部から見たバッグの特定の構成部分の局面を示している。
【図６Ａ】図６Ａは、内部から見た図５Ａと同じ詳細の局面を示している。
【図６Ｂ】図６Ｂは、内部から見た図５Ｂと同じ詳細の局面を示している。
【図６Ｃ】図６Ｃは、内部から見た図５Ｃと同じ詳細の局面を示している。
【発明を実施するための形態】
【００１２】
添付の図面に示しているように、図１から４において、参照番号１０は、モジュラー構成を有しており、平坦でより小さい非使用の状態と、入れ物として使用される状態との間で可変に適合可能な組立式バッグ全体を示している。
【００１３】
バッグ１０は、２個の主要区分３ａ、２個の側部の区分３ｂ、少なくとも１個の底の区分４、及びバッグ胴体１の開口２０を概ね定めている２個の構成部品２だけから構成されており全体を１で参照するバッグ胴体を基本的に有している。使用状態において、主要区分３ａは互いに対向して、バッグの前及び後の壁を構成している。同様に、側部の区分３ｂも互いに対向している。
【００１４】
図１及び２によくわかるように示しているように、バッグ胴体１は、ハンドル７を備えており、バッグ胴体１とは別個の物体保持コア６を収容することが有利である。
【００１５】
図５Ａ、５Ｂ、６Ａ、及び６Ｂに示しているような好ましい例示としての実施形態において、２個の構成部品は、３個の区分、つまり主要区分３ａ、側部の区分３ｂ、及び底の区分４に分割されていることが好ましく、平面図に示されている同一の実質的に平坦な形状をしている。
【００１６】
区分３ａ、３ｂ、及び４は、２個の構成部品２を関連付けるときに、互いに相対的に折って組み立てて、上が開いており、内部の保持空間を有しており、前述のバッグ胴体１を実施する立体図形の形状、図形の例では、実質的に平行６面体を作ることができる。
【００１７】
２個の構成部品の定められている前述の関連付けは、２個の構成部品２に備わっていることが好ましい、素早くそして取り外し可能な相互接続手段５；５ａ及び５ｂの作動によって実現される。
【００１８】
これらの相互接続手段は、ユーザの必要に応じて、入れ物状態から平坦な状態へとその逆の、バッグの構成の素早い変換を実現する目的を有している。
【００１９】
相互接続手段は、バッグ胴体１を構成するときに互いに対向するように構成されている区分３ａ、３ｂ、及び４内の位置に適切に配置されているスナップ嵌め締結部品などの、スナップ嵌め締結部品５ａ及び５ｂを有していることが好ましい。本実施形態は、単なる例であり、限定ではないと考えるべきなのは明らかであって、ベルクロ（登録商標）部品、磁性要素を備えている部品、機械的な結合部材などによって実装されてもよい。
【００２０】
物体保持コア６は、バッグ胴体１内に収容できることが有利かもしれない。このコア６の存在によって、バッグ胴体１の区分された性質及び素早い変換の特性の最適化された使用が可能になり、バッグの使用者が運びたい様々な物体を個別に運搬する必要がなくなる。
【００２１】
コア６は、コア６とコア６が収容されるバッグ胴体１の側部の区分３ｂとの間に介在しているスナップ締結部品６ａ及び６ｂによってバッグ胴体１に機械的に接続されるように構成されていることも有利である（図２、６Ａ、及び６Ｂを参照）。図１及び３は、バッグ１０が、バッグ胴体１を構成する２個の３区分の部品２に関連するように構成されているハンドル７を備えていることが好ましいことを明確に示している。この関連付けは取り外し可能で調整可能な型式であって、主要区分３のフラップ９によって片持ちの態様で保持されている剛性のあるピン８を、ハンドル７の長さ方向に所定のピッチで形成されているハトメ１１へ関連付けることによって得られることが好ましい。
【００２２】
本発明は、意図した目的を完全に実現し、重要な利点を提供する。２部品構成のバッグ胴体１の区分されている性質によって、ユーザは、何らかの構成部品を紛失する危険なしに自分が望むときにはいつでもバッグ１０を素早く分解し組み立てる機会を得る。
【００２３】
また、２個の部品の幾何学形状が同一であれば、バッグの平坦にしたときの構成において、整然とした配置を得ることができ、それによって、同じ収容空間に収容されるさまざま構成部品の形状が異なることに関連することもある有用な収納容積の無駄を一切避けることができる。
【００２４】
前述の２個の部品の形状が同一であることによって、最終的な使用者及び製造者の両者が、２個または３個以上のバッグの構成部品を交換して、使用者の好むように、色、材料、及び外観の新規の組み合わせを作ることもできるようになる。
【００２５】
２個の部品２の同一の３区分構造のさらなる利点は、そのようにして得られたバッグ胴体１が２個の底の区分４の重ね合わせによる２層の底を有することである。この重ね合わせによって、相当に有用な剛性がバッグ胴体１にもたらされ、それによってバッグの中身を支持する機能が補助され、バッグ胴体１の外側の形状を安定して保持することが保証されるので有利である。
【００２６】
物体保持コア６によってもたらされるさらに他の利点は、有用な空間を無駄にせずに、バッグ胴体１をより小さい状態で、バッグ、より大きいスーツケース、引き出し、またはタンス内に保存するように分解する必要があるときに、物体を移し替える必要がないこと、つまり、コアを単独で使用できることにある。
【図１】
2018519958.tif 000003
【図２】
2018519958.tif 000004
【図３】
2018519958.tif 000005
【図４】
2018519958.tif 000006
【図５Ａ】
2018519958.tif 000007
【図５Ｂ】
2018519958.tif 000008
【図５Ｃ】
2018519958.tif 000009
【図６Ａ】
2018519958.tif 000010
【図６Ｂ】
2018519958.tif 000011
【図６Ｃ】
2018519958.tif 000012
【国際調査報告】
2018519958.tif 000013
2018519958.tif 000014